(57)【要約】  【課題】除菌灯駆動回路を搭載した場合でも除菌灯駆動回路の動作に伴って発生するノイズによる制御動作への影響を抑制する。  【解決手段】給湯路３と、給湯路３の途中に設けられた除菌灯１８と、除菌灯駆動指令信号が供給されているときに除菌灯１８を駆動するための駆動電力を生成出力する除菌灯駆動回路２２と、除菌灯駆動指令信号を出力する制御部２０と、除菌灯駆動指令信号を制御部２０から除菌灯駆動回路２２へ伝送する指令信号伝送手段とを備え、指令信号伝送手段は、制御部２０と除菌灯駆動回路２２とを電気的に絶縁しつつ除菌灯駆動指令信号を制御部２０側から除菌灯駆動回路２２側へ伝送する絶縁部位３３を有する。【選択図】図１
2018080885.tif 000002
【特許請求の範囲】
【請求項１】
給湯路と、該給湯路の途中に設けられた除菌灯と、除菌灯駆動指令信号が供給されているときに前記除菌灯を駆動するための駆動電力を生成して前記除菌灯に出力する除菌灯駆動回路と、前記除菌灯駆動指令信号を出力する制御部と、前記除菌灯駆動指令信号を前記制御部から前記除菌灯駆動回路へ伝送する指令信号伝送手段とを備え、該指令信号伝送手段は、前記制御部と前記除菌灯駆動回路とを電気的に絶縁しつつ前記除菌灯駆動指令信号を前記制御部側から前記除菌灯駆動回路側へ伝送する絶縁部位を有することを特徴とする除菌機能付き給湯装置。
【請求項２】
請求項１に記載の除菌機能付き給湯装置において、前記制御部は制御基板上に実装され、前記除菌灯駆動回路は、前記制御基板とは別の除菌灯駆動基板上に実装され、前記制御基板は制御用電源ラインを有し、前記絶縁部位は前記除菌灯駆動基板上に実装されたフォトカプラにより構成され、該フォトカプラの内蔵発光素子の駆動電圧は前記制御用電源ラインから供給されるよう構成されていることを特徴とする除菌機能付き給湯装置。
【請求項３】
請求項１又は２に記載の除菌機能付き給湯装置において、前記制御部用の第１の電源部と、前記除菌灯用の第２の電源部とをさらに備え、第２の電源部は、商用交流電力から直流電力を生成する絶縁型コンバータを備え、前記除菌灯駆動回路は、前記絶縁型コンバータが生成する直流電力から前記駆動電力を生成するインバータと、除菌灯ＯＮ／ＯＦＦ回路とを備え、前記インバータを構成するスイッチング素子用の電源電圧は前記絶縁型コンバータから前記除菌灯ＯＮ／ＯＦＦ回路を介して供給されるよう構成され、前記除菌灯駆動指令信号は前記除菌灯ＯＮ／ＯＦＦ回路を導通動作させるものであることを特徴とする除菌機能付き給湯装置。
【請求項４】
請求項３に記載の除菌機能付き給湯装置において、第１の電源部は前記制御部及び前記除菌灯駆動回路のいずれとも異なる基板上に実装され、第２の電源部は前記除菌灯駆動回路と同じ基板上に実装されていることを特徴とする除菌機能付き給湯装置。
【請求項５】
請求項１〜４のいずれかに記載の除菌機能付き給湯装置において、前記除菌灯駆動回路は、前記除菌灯の通電状態に応じた断線検知信号を出力する断線検知回路をさらに備え、前記断線検知信号は、検知信号伝送手段を介して前記断線検知回路から前記制御部へ伝送されるよう構成され、前記検知信号伝送手段は、前記制御部と前記除菌灯駆動回路とを電気的に絶縁しつつ前記断線検知信号を前記断線検知回路側から前記制御部側へ伝送する絶縁部位を有することを特徴とする除菌機能付き給湯装置。
【発明の詳細な説明】
【技術分野】
【０００１】
本発明は、除菌機能付き給湯装置に関する。
【背景技術】
【０００２】
例えば下記の特許文献１にも開示されているように、従来より、風呂追い焚き機能付き給湯装置において、追い焚き循環給湯路の途中にＵＶランプ等の除菌灯（殺菌灯）を設け、追い焚き運転中に除菌灯を点灯することによって、追い焚き循環給湯路を流れる湯水の除菌を行うものがある。すなわち、特許文献１の図２に開示された実施例では、給湯制御を行う制御マイコン（ＣＰＵ）に入出力インターフェース（Ｉ／Ｏ）を介して殺菌灯駆動回路が接続され、制御マイコンからの指令によって殺菌灯を点灯動作可能であるとともに、殺菌灯の断線を殺菌灯駆動回路が検知して制御マイコンに断線検知信号を出力する構成が開示されている。
【先行技術文献】
【特許文献】
【０００３】
【特許文献１】特開平９−１２６５５６号公報
【発明の概要】
【発明が解決しようとする課題】
【０００４】
ところで、除菌灯の駆動電力をインバータ回路によって生成出力する構成も従来よりよく知られているが（例えば特許第３７４１４９１号公報）、給湯制御を行う制御部と同じ基板上にインバータ回路を実装して、その動作指令を制御マイコンから行う構成とすると、インバータ回路における高周波スイッチングに伴うノイズが制御マイコンに伝搬されて、給湯制御動作に悪影響を与えるおそれがある。
【０００５】
また、除菌機能を搭載する機種もあれば除菌機能を搭載しない機種もあるところ、制御基板や電源基板上に除菌灯用のインバータ回路を実装すると、除菌機能を搭載しない機種においては不要な基板面積を占めてしまい、基板の共通化を図れば除菌機能を搭載しない機種の装置小型化に支障が出るし、一方、各機種毎に個別に基板を設計すれば共通化によるコスト低減等を図ることができなくなる。
【０００６】
そこで、本発明は、除菌灯駆動回路を搭載した場合でも除菌灯駆動回路の動作に伴って発生するノイズによる制御動作への影響を抑制することを第１の目的とする。さらに本発明は、除菌機能を柔軟に機能追加できる装置構成とすることを第２の目的とする。
【課題を解決するための手段】
【０００７】
上記目的を達成するために、本発明は、次の技術的手段を講じた。
【０００８】
すなわち、本発明の除菌機能付き給湯装置は、給湯路と、該給湯路の途中に設けられた除菌灯と、除菌灯駆動指令信号が供給されているときに前記除菌灯を駆動するための駆動電力を生成して前記除菌灯に出力する除菌灯駆動回路と、前記除菌灯駆動指令信号を出力する制御部と、前記除菌灯駆動指令信号を前記制御部から前記除菌灯駆動回路へ伝送する指令信号伝送手段とを備え、該指令信号伝送手段は、前記制御部と前記除菌灯駆動回路とを電気的に絶縁しつつ前記除菌灯駆動指令信号を前記制御部側から前記除菌灯駆動回路側へ伝送する絶縁部位を有することを特徴とするものである（請求項１）。
【０００９】
かかる本発明の除菌機能付き給湯装置によれば、制御部と除菌灯駆動回路とを電気的に絶縁しつつ除菌灯駆動指令信号を制御部から除菌灯駆動回路へ伝送可能に構成したので、除菌灯駆動回路における除菌灯駆動電力の生成に起因して生じる電気的ノイズが制御部に伝搬されることを抑制でき、制御部におけるその他の種々の制御動作への影響を低減できる。
【００１０】
なお、前記制御部は、好ましくはマイクロコンピュータ（マイコン）により主構成され、給湯路からの給湯動作を制御するものであってよく、給湯動作を行う場合に所定の出力ポートから除菌灯駆動指令信号を出力するよう構成することができる。また、本発明における給湯路は、浴槽内湯水を追い焚き加熱するための追い焚き給湯路であることが好ましいが、給湯栓への給湯路や、浴槽内への湯水の落とし込み用の給湯路であってもよい。また、除菌灯は好ましくはＵＶランプにより構成され、その駆動電力は高周波乃至低周波の交流電力であってよく、除菌灯駆動回路は典型的にはインバータ回路により主構成される。
【００１１】
上記本発明の除菌機能付き給湯装置において、前記制御部は制御基板上に実装され、前記除菌灯駆動回路は、前記制御基板とは別の除菌灯駆動基板上に実装され、前記制御基板は制御用電源ラインを有し、前記絶縁部位は前記除菌灯駆動基板上に実装されたフォトカプラにより構成され、該フォトカプラの内蔵発光素子の駆動電圧は前記制御用電源ラインから供給されるよう構成されていてよい（請求項２）。これによれば、上記フォトカプラの内蔵発光素子に駆動電圧を供給するか否かという態様で除菌灯駆動指令信号を制御基板から除菌灯駆動基板へ伝達でき、フォトカプラの内蔵発光素子並びに該素子に接続された駆動電圧供給ラインは、除菌灯駆動基板上でフォトカプラによって除菌灯駆動回路とは電気的に絶縁されるため、除菌灯駆動電力の生成に起因して生じる電気的ノイズが制御基板に伝搬されることを抑制できる。さらに、除菌機能が不要な場合には、除菌灯駆動基板を設けなければよく、除菌機能を追加するか否かを柔軟に装置構成できるとともに、除菌灯駆動基板を設けない場合には、上記フォトカプラの内蔵発光素子への駆動電圧出力部を、別の基板乃至機器への電圧出力部として流用することもでき、装置設計の柔軟性を一層向上できる。
【００１２】
また、前記制御部用の第１の電源部と、前記除菌灯用の第２の電源部とをさらに備え、第２の電源部は、商用交流電力から直流電力を生成する絶縁型コンバータを備え、前記除菌灯駆動回路は、前記絶縁型コンバータが生成する直流電力から前記駆動電力を生成するインバータと、除菌灯ＯＮ／ＯＦＦ回路とを備え、前記インバータを構成するスイッチング素子用の電源電圧は前記絶縁型コンバータから前記除菌灯ＯＮ／ＯＦＦ回路を介して供給されるよう構成され、前記除菌灯駆動指令信号は前記除菌灯ＯＮ／ＯＦＦ回路を導通動作させるものであってよい（請求項３）。これによれば、除菌灯用の第２の電源部を制御部用の第１の電源部とは別に設けることにより、電源部を介して除菌灯駆動回路で発生するノイズが制御部に伝搬されることを回避できる。また、除菌灯ＯＮ／ＯＦＦ回路は、除菌灯駆動指令信号が供給されると上記電源電圧の供給路を導通させ、除菌灯駆動指令信号が供給されないときは上記電源電圧の供給路を遮断するものであって、除菌灯の駆動電力用の直流電力供給路ではなく、インバータを構成するスイッチング素子用の電源電圧供給路に除菌灯ＯＮ／ＯＦＦ回路を設けることで、除菌灯の駆動電力用の直流電力が１００Ｖなどの比較的大きな電圧である場合であっても、スイッチング素子用の電源電圧は１０〜２０Ｖ程度の比較的小さな電圧であるため、絶縁部分の耐圧性能を低くすることができ、これにより一層の信頼性向上を図るとともに部品コスト低減を図ることができる。
【００１３】
さらに、第１の電源部は前記制御部及び前記除菌灯駆動回路のいずれとも異なる基板上に実装され、第２の電源部は前記除菌灯駆動回路と同じ基板（除菌灯駆動基板）上に実装されていてよい（請求項４）。これによれば、除菌機能の追加若しくは削除を、除菌灯駆動基板を設けるか否かによって柔軟かつ容易に行うことができる。
【００１４】
また、前記除菌灯駆動回路は、前記除菌灯の通電状態に応じた断線検知信号を出力する断線検知回路をさらに備え、前記断線検知信号は、検知信号伝送手段を介して前記断線検知回路から前記制御部へ伝送されるよう構成され、前記検知信号伝送手段は、前記制御部と前記除菌灯駆動回路とを電気的に絶縁しつつ前記断線検知信号を前記断線検知回路側から前記制御部側へ伝送する絶縁部位を有することができる（請求項５）。これによれば、除菌灯の断線検知回路を設けた場合においても、断線検知信号を制御部に伝送する検知信号伝送手段を介して除菌灯駆動回路から制御部にノイズが伝搬されることを抑制できる。
【発明の効果】
【００１５】
以上説明したように、本願発明によれば、除菌灯駆動回路を搭載した場合でも除菌灯駆動回路の動作に伴って発生するノイズによる制御動作への影響を抑制することができるとともに、除菌機能を柔軟に機能追加できる装置構成とすることができる。
【図面の簡単な説明】
【００１６】
【図１】本発明の一実施形態に係る除菌機能付き給湯装置の作動原理図である。
【図２】同給湯装置の制御部、除菌灯駆動回路及び電源部の要部を示す回路ブロック図である。
【発明を実施するための形態】
【００１７】
以下、本発明の好適な実施形態を図面に基づいて説明する。
【００１８】
図１は本発明の一実施形態に係る除菌機能付き給湯装置１を示しており、該給湯装置１は、水道水等の浄水を給水源として給湯栓への給湯機能を実現する主給湯路２、浴槽内湯水を給水源として浴槽内湯水を追い焚き加熱した後に浴槽に戻す追い焚き給湯機能を実現する追い焚き給湯路３、浴槽への湯張りや足し湯等のために主給湯路２から追い焚き給湯路３へ湯水を供給する注湯用給湯路４を備えている。これら主給湯路２及び注湯用給湯路４の構成並びに動作は従来周知であるので詳細説明を省略する。
【００１９】
追い焚き給湯路３は、追い焚き機能を実現するために、浴槽（図示せず）の循環アダプタと追焚用熱交換器５との間に配管された戻り路６及び往き路７から主構成される循環回路により構成され、浴槽内に湯張りされた浴槽湯水を所定温度まで追い焚き加熱し得るようになっている。すなわち、循環ポンプ８の作動により浴槽から戻り路６を通して追焚用熱交換器５に浴槽湯水が供給され、かかる浴槽湯水が燃焼バーナ９で発生する燃焼熱により追焚用熱交換器５で熱交換加熱されて追い焚きされ、追い焚き後の湯水が往き路７を介して浴槽に戻されるよう構成され、戻り路６を通過する湯水の温度が所定の目標温度となるまで追い焚きされるようになっている。循環ポンプ８は戻り路６及び往き路７のいずれか一方（図例では戻り路６）に介装されている。戻り路６には、流れを検知して後述のマイコン２０（制御部）に検知信号を出力する水流スイッチ１０や、戻り路６内を通過する浴槽湯水の温度を検出する戻り温度センサ１１が設けられている。往き路７には、追い焚き後の湯水の温度を検出する往き温度センサ１２が設けられている。
【００２０】
また、戻り路６の途中には、ＵＶランプ１８（除菌灯）を内蔵するＵＶユニットが設けられており、ＵＶユニット内を浴槽湯水が通過する際にＵＶランプ１８が照射する紫外線によって浴槽湯水の除菌を行えるようになっている。
【００２１】
なお、図１中の符号１３は、給湯用燃焼バーナ１４や追焚用燃焼バーナ９に燃料ガスを供給するためのガス供給管路であり、該ガス供給管路１３には、元ガス電磁弁ＳＶ、ガス比例弁１５、追焚用燃焼バーナ９への燃料ガスの供給を行うか否かを切り替える追い焚き用電磁弁１６、給湯用燃焼バーナ１４の燃焼能力の切り替えを行うための複数の能力切替弁１７が設けられている。
【００２２】
また、本実施形態の給湯装置１は、主給湯路２、追い焚き給湯路３及び注湯用給湯路４による各給湯動作を制御するための制御部としてのマイコン２０（マイクロコンピュータ）を備えている。マイコン２０は制御基板Ｂ１上に実装されており、制御基板Ｂ１上には図示しないが上記水流スイッチ１０、戻り温度センサ１１、往き温度センサ１２を含む各種センサや、循環ポンプ８、元ガス電磁弁ＳＶ、比例弁１５、追い焚き用電磁弁１６、能力切換弁１７を含む各種アクチュエータに対する入出力インターフェース回路が実装されている。
【００２３】
さらに、給湯装置１は、電源ユニットＰ１（第１の電源部）と、ＵＶランプ１８を駆動するための駆動電力を生成してＵＶランプ１８にワイヤーハーネスＷを介して出力するＵＶコントローラ基板Ｂ２（除菌灯駆動基板）とを、制御基板Ｂ１とは別個のユニットとして備えており、電源ユニットＰ１及びＵＶコントローラ基板Ｂ２には、漏電ブレーカ１９を介して商用交流電力が元電源として供給されている。
【００２４】
図２は、電源ユニットＰ１、制御基板Ｂ１及びＵＶコントローラ基板Ｂ２の回路構成の要部を示している。電源ユニットＰ１は従来公知の適宜の電源回路構成であってよいが、典型的には絶縁型コンバータによって構成される。図示例では、定電圧制御された１５Ｖ直流電圧が制御用電源電圧として電源ユニットＰ１から制御基板Ｂ１上の制御用電源ラインＶＣ１５に供給されている。この電源ユニットＰ１の電源基板は、制御基板Ｂ１及びＵＶコントローラ基板Ｂ２のいずれとも別個の構成とすることができる。
【００２５】
制御基板Ｂ１上には、５Ｖ直流電圧が供給される制御用電源ラインＶＣ５も実装されており、該制御用電源ラインＶＣ５に供給する５Ｖ直流電圧は、上記１５Ｖ直流電圧を三端子レギュレータ２１によって電圧変換することによって制御基板Ｂ１上で生成しているが、電源ユニットＰ１が５Ｖ直流電圧をも生成して制御用電源ラインＶＣ５に供給するよう構成することもできる。また、制御基板Ｂ１のグラウンドＣ−ＧＮＤは、電源ユニットＰ１のグラウンド端子に配線接続されている。
【００２６】
ＵＶコントローラ基板Ｂ２上には、商用交流電力から定電圧制御された１００Ｖ直流電力を生成する絶縁型コンバータ（好適にはフライバックコンバータ）からなる第２の電源部Ｐ２と、上記１００Ｖ直流電力から除菌灯駆動電力を生成出力する除菌灯駆動回路２２とが実装されている。
【００２７】
第２の電源部Ｐ２を構成する絶縁型コンバータは、トランス２３と、トランス２３の一次側に設けられたノイズフィルタ２４、整流平滑回路２５及びスイッチング回路２６と、トランス２３の二次側に設けられた二次側回路２７とを備えている。二次側回路２７は出力の定電圧制御機能を有しており、定電圧制御された１００Ｖ直流電力を出力する。また、二次側回路２７から一次側のスイッチング回路２６にフィードバック信号がフォトカプラ２８を介して電気的に絶縁しつつ伝送されるよう回路構成されている。また、二次側回路２７は、定電圧制御されていないＤＣ１５Ｖ電圧を出力する。このＤＣ１５Ｖ電圧は、トランス２３の巻線途中の出力電圧をそのまま出力したものであってよい。なお、ＵＶコントローラ基板Ｂ２上には、絶縁型コンバータＰ２の一次側のグラウンドとなるＰ−ＧＮＤと、二次側のグラウンドとなるＳ−ＧＮＤとが別に設けられ、二次側回路２７の出力電圧は、二次側グラウンドＳ−ＧＮＤを基準電位とする電圧として出力される。
【００２８】
除菌灯駆動回路２２は、上記１００Ｖ直流電力から高周波乃至低周波の除菌灯駆動電力（交流電力）を変換出力するインバータ３０により主構成される。該インバータ３０は、典型的には、複数のスイッチング素子をブリッジ接続してなるインバータブリッジと、該インバータブリッジの出力側に設けられたインダクタと、上記スイッチング素子にＰＷＭ制御された駆動パルス信号を出力する変換制御部とを備えて構成される。インバータ３０の変換制御部の動作用の電源電圧（インバータを構成するスイッチング素子用の電源電圧）も上記１００Ｖ直流電力とは別に必要となるが、本実施形態では、二次側回路２７のＤＣ１５Ｖ出力を除菌灯ＯＮ／ＯＦＦ回路３１及び定電圧制御回路３２（三端子レギュレータなど）を介して１２Ｖ電源電圧に変換出力し、該１２Ｖ電源電圧をインバータ３０に変換制御動作用の電源電圧として供給するよう構成している。
【００２９】
除菌灯ＯＮ／ＯＦＦ回路３１は、トランジスタなどの適宜のスイッチング素子によって構成でき、制御基板Ｂ１上のマイコン２０から除菌灯駆動指令信号が供給されているときは導通動作し、除菌灯駆動指令信号が供給されていないときは遮断動作するよう構成される。
【００３０】
マイコン２０は、外部から除菌運転の指令が入力されており、追い焚き給湯路３の湯水循環が行われている間は、所定の出力ポートより除菌灯を駆動させるための除菌灯駆動指令信号を出力するよう構成されており、該除菌灯駆動指令信号は、指令信号伝送手段を介して除菌灯駆動回路２２の除菌灯ＯＮ／ＯＦＦ回路３１へ伝送される。指令信号伝送手段は、指令内容を保持し得るのであれば信号伝送途中で信号の状態が変化してもよい。例えば、除菌灯を駆動するか否かの二者択一の指令信号は、（駆動する＝Ｈｉｇｈ信号，駆動しない＝Ｌｏｗ信号）、（駆動する＝Ｌｏｗ信号，駆動しない＝Ｈｉｇｈ信号）、（駆動する＝パルス信号，駆動しない＝定電位）、（駆動する＝電圧供給する，駆動しない＝電圧供給しない）、（駆動する＝ＬＥＤ点灯，駆動しない＝ＬＥＤ消灯）など、種々の信号状態で指令内容を示すものであってよい。
【００３１】
指令信号伝送手段は、その中途部に、マイコン２０と除菌灯駆動回路２２とを電気的に絶縁しつつ除菌灯駆動指令信号を制御部側から除菌灯駆動回路側へ伝送する絶縁部位を有しており、本実施形態では、絶縁部位は、ＵＶコントローラ基板Ｂ２上に実装されたフォトカプラ３３により構成されている。該フォトカプラ３３の内蔵発光素子３３ａの駆動電圧は、制御基板Ｂ１の制御用電源ラインＶＣ１５から供給されるよう構成されている。すなわち、制御基板Ｂ１には、制御用電源ラインＶＣ１５に接続された電圧外部出力端子ａと、スイッチング素子Ｑ１を介して制御基板Ｂ１のグラウンドＣ−ＧＮＤに接続されたグラウンド外部接続端子ｂとを備え、スイッチング素子Ｑ１は除菌灯駆動指令信号としてＨｉｇｈ信号がマイコン２０から出力されると導通して上記端子ａ−ｂ間に電圧供給し、除菌灯駆動指令信号が出力されないとき（マイコン２０出力がＬｏｗ出力のとき）は、スイッチング素子Ｑ１が遮断して上記端子ｂがオープン状態となるため上記端子ａ−ｂ間の電圧供給もなされなくなる。
【００３２】
一方、ＵＶコントローラ基板Ｂ２には、フォトカプラ３３の内蔵発光素子３３ａの正極側に接続された接続端子ｃと、内蔵発光素子３３ａの負極側に接続された接続端子ｄとが設けられ、制御基板Ｂ１の端子ａとＵＶコントローラ基板Ｂ２の端子ｃ、及び、制御基板Ｂ１の端子ｂとＵＶコントローラ基板Ｂ２の端子ｄとがそれぞれ配線接続されている。
【００３３】
したがって、マイコン２０が除菌灯駆動指令信号としてのＨｉｇｈ信号を出力すると、スイッチング素子Ｑ１が導通してフォトカプラ３３の内蔵発光素子３３ａに駆動電圧が供給され、これによりフォトカプラ３３の内蔵受光素子３３ｂ（フォトトランジスタ）が導通して、除菌灯ＯＮ／ＯＦＦ回路３１の除菌灯駆動指令信号入力部がＵＶコントローラ基板Ｂ２の二次側グラウンドＳ−ＧＮＤに導通され、これによりＬｏｗ信号が除菌灯駆動指令信号（除菌灯を駆動することを示す信号）として除菌灯ＯＮ／ＯＦＦ回路３１に入力される。また、マイコン２０が、除菌灯を駆動しないことを指令するＬｏｗ信号を出力すると、スイッチング素子Ｑ１が遮断してフォトカプラ３３の内蔵発光素子３３ａへの駆動電圧供給がなされなくなり、これによりフォトカプラ３３の内蔵受光素子３３ｂが遮断して、除菌灯ＯＮ／ＯＦＦ回路３１の除菌灯駆動指令信号入力部をプルアップ抵抗を介してＤＣ１５Ｖラインに接続することで、該入力部にＨｉｇｈ信号が除菌灯を駆動しないことを示す信号として入力される。
【００３４】
また、本実施形態の除菌灯駆動回路２２は、ＵＶランプ１８の通電状態に応じた断線検知信号を出力する断線検知回路３４をさらに備えている。この断線検知回路３４は、例えばインバータ３０からＵＶランプ１８に供給される電流を検出するカレントトランス（ＣＴ）によって主構成されるものとすることができ、ＵＶランプ１８に通電されている場合はＨｉｇｈ信号が通電されていることを示す断線検知信号として出力され、ＵＶランプ１８が断線して通電されなくなった場合にはＬｏｗ信号が断線されていることを示す断線検知信号として出力されるようになっている。
【００３５】
断線検知信号は、検知信号伝送手段を介して断線検知回路３４からマイコン２０の所定の入力ポートへ伝送されるよう構成されている。この検知信号伝送手段は、上記指令信号伝送手段と同様の構成とすることができ、本実施形態では、マイコン２０と除菌灯駆動回路２２とを電気的に絶縁しつつ断線検知信号を断線検知回路３４側からマイコン２０側へ伝送する絶縁部位として、ＵＶコントローラ基板Ｂ２上に実装されたフォトカプラ３５を備えている。フォトカプラ３５の内蔵発光素子３５ａの正極側端子には断線検知信号が供給され、負極側端子は二次側グラウンドＳ−ＧＮＤに接続されている。また、ＵＶコントローラ基板Ｂ２には、フォトカプラ３５の内蔵受光素子３５ｂの正極側に接続された接続端子ｇと、内蔵受光素子３５ｂの負極側に接続された接続端子ｈとが設けられている。
【００３６】
一方、制御基板Ｂ１のマイコン２０の検知信号入力ポートは、スイッチング素子Ｑ２を介して制御基板Ｂ１のグラウンドＣ−ＧＮＤに接続されている。また、制御基板Ｂ１には、スイッチング素子Ｑ２の制御信号入力端子（図示例ではベース）に接続された接続端子ｅと、グラウンドＣ−ＧＮＤに接続された接続端子ｆとが設けられ、制御基板Ｂ１の端子ｅとＵＶコントローラ基板Ｂ２の端子ｇ、及び、制御基板Ｂ１の端子ｆとＵＶコントローラ基板Ｂ２の端子ｈとがそれぞれ配線接続されている。マイコン２０の検知信号入力ポートはプルアップ抵抗を介して制御用電源ラインＶＣ１５に接続され、スイッチング素子Ｑ２の制御信号入力端子はプルアップ抵抗を介して制御用電源ラインＶＣ５に接続されている。
【００３７】
したがって、ＵＶランプ１８に駆動電力が通電されてＵＶランプ１８が点灯しているときは、フォトカプラ３５の発光素子３５ａに電流が流れて発光し、これにより受光素子３５ｂが導通する。すると、スイッチング素子Ｑ２の制御信号入力端子がグラウンドＣ−ＧＮＤに導通されてスイッチング素子Ｑ２がオフし、マイコン２０の検知信号入力ポートがプルアップされて該入力ポートにＨｉｇｈ信号が通電されていることを示す断線検知信号として入力される。
【００３８】
また、ＵＶランプ１８が断線しているときは、フォトカプラ３５の発光素子３５ａに電流が流れず、受光素子３５ｂが非導通となるので、スイッチング素子Ｑ２の制御信号入力端子がプルアップされてオンし、マイコン２０の検知信号入力ポートがグラウンドＣ−ＧＮＤに導通されるため、該入力ポートにはＬｏｗ信号が断線されていることを示す断線検知信号として入力される。
【００３９】
マイコン２０におけるＵＶランプ１８の断線判定は、ＵＶランプ１８を点灯駆動させるための除菌灯駆動指令信号を出力しているにもかかわらず、断線検知信号としてＬｏｗ信号が入力されている場合に、ＵＶランプ１８が断線していると判定し、かかる断線判定がなされた場合にはＵＶランプの断線報知を行うよう構成できる。
【００４０】
本実施形態に係る給湯装置によれば、ＵＶランプ１８用の第２の電源部Ｐ２、並びに、該第２の電源部Ｐ２が出力する直流電力からＵＶランプ１８を駆動する駆動電力を生成する除菌灯駆動回路２２をＵＶコントローラ基板Ｂ２上に設け、第２の電源部Ｐ２の二次側及び除菌灯駆動回路２２のグラウンドＳ−ＧＮＤを、制御基板Ｂ１のグラウンドＣ−ＧＮＤとも、第２の電源部Ｐ２の一次側のグラウンドＰ−ＧＮＤとも絶縁するとともに、制御基板Ｂ１上のマイコン２０から除菌灯駆動回路２２に対する除菌灯駆動指令信号の信号伝送手段、並びに、除菌灯駆動回路２２からマイコン２０に送出される断線検知信号の信号伝送手段のいずれも、フォトカプラ３３，３５によって電気的に絶縁しつつ信号伝送可能に構成したので、インバータ３０におけるスイッチング動作によって生じるノイズが制御基板Ｂ１に伝送されることを抑制することができ、マイコン２０がノイズによって異常動作したり、マイコン２０の入出力信号にノイズが乗ることによって給湯動作が不安定になるなどの影響が生じることを回避できる。
【００４１】
さらに、除菌機能が不要な場合にはＵＶコントローラ基板Ｂ２を設けなければ良く、これにより装置の小型化を図ったり、他の付加機能のための回路基板に置き換えたりすることが可能であり、かかる場合でも制御基板Ｂ１の上記端子ａ，ｂ，ｅ，ｆを流用可能である。
【００４２】
本発明は上記実施形態に限定されるものではなく、適宜設計変更できる。例えば、基板上で絶縁を行うのであればマイコン２０と除菌灯駆動回路２２とを同じ基板上に実装しても良い。また、指令信号伝送手段及び検知信号伝送手段の絶縁部位の構成も種々のものであってよく、例えば、制御基板Ｂ１とＵＶコントローラ基板Ｂ２とを光ファイバーケーブルで接続して、一方の基板に発光ダイオードを、他方の基板にフォトトランジスタを設ける構成とすることもできる。また、除菌灯ＯＮ／ＯＦＦ回路は、１００Ｖ直流電力をインバータ３０に供給するか否かを切り替えるよう構成されていてもよい。
【符号の説明】
【００４３】
１      給湯装置
３      給湯路（追い焚き給湯路）
１８      ＵＶランプ（除菌灯）
２０      マイコン（制御部）
２２      除菌灯駆動回路
３０      インバータ
３１      除菌灯ＯＮ／ＯＦＦ回路
３３      指令信号伝送手段の絶縁部位としてのフォトカプラ
３５      検知信号伝送手段の絶縁部位としてのフォトカプラ
Ｂ１      制御基板
ＶＣ１５  制御基板上の制御用電源ライン
Ｂ２      ＵＶコントローラ基板（除菌灯駆動基板）
Ｐ１      第１の電源部
Ｐ２      第２の電源部
【図１】
2018080885.tif 000003
【図２】
2018080885.tif 000004